(57)【要約】【構成】イメージセンサ１６は、ズームレンズ１２およびフォーカスレンズ１４を通して被写界像を捉える撮像面を有する。ＣＰＵ２６は、ズーム指示を受け付けたとき、ズームレンズ１２を指定方向に移動させ、これと並列してフォーカスレンズ１４を合焦方向に移動させる。フォーカスレンズ１４の移動処理は、トラッキングカーブを参照して実行される。ただし、ズームレンズ１２の移動態様が既定条件（移動方向がテレ方向でかつ移動量が閾値ＴＨを上回るという条件）を満足すれば、ＣＰＵ２６は、従前のフォーカスレンズ１４の移動処理を制限する。【効果】ズーム調整処理と並列したフォーカス調整処理の性能が向上する。【選択図】図２
2010266701.tif 000002
【特許請求の範囲】
【請求項１】
ズームレンズおよびフォーカスレンズを通して被写界像を捉える撮像面を有する撮像手段、
ズーム指示を受け付けたとき前記ズームレンズから前記撮像面までの距離を変更する第１変更手段、
トラッキングカーブを参照して前記フォーカスレンズから前記撮像面までの距離を変更する処理を前記第１変更手段の変更処理と並列して実行する第２変更手段、および
前記第１変更手段による変更態様が既定条件を満足するとき前記第２変更手段の変更処理を制限する制限手段を備える、電子カメラ。
【請求項２】
前記制限手段は前記第２変更手段によって参照されるトラッキングカーブを既定トラッキングカーブに変更するトラッキングカーブ変更手段を含む、請求項１記載の電子カメラ。
【請求項３】
前記フォーカスレンズから前記撮像面までの距離を既定距離に設定する処理を前記制限手段の制限処理に関連して実行する設定手段をさらに備える、請求項１記載の電子カメラ。
【請求項４】
前記既定条件は変更方向がテレ側に対応する方向であるという方向条件と変更量が閾値を上回るという量条件との論理積を含む、請求項１ないし３のいずれかに記載の電子カメラ。
【請求項５】
前記第１変更手段の変更処理が完了した後に前記撮像手段から出力された被写界像に基づいて前記フォーカスレンズから前記撮像面までの距離を調整する調整手段をさらに備える、請求項１ないし４のいずれかに記載の電子カメラ。
【請求項６】
前記第２変更手段によって参照されるトラッキングカーブを前記調整手段の調整処理に関連して決定する決定手段をさらに備える、請求項５記載の電子カメラ。
【請求項７】
ズームレンズおよびフォーカスレンズを通して被写界像を捉える撮像面を有する撮像手段を備える電子カメラのプロセッサに、
ズーム指示を受け付けたとき前記ズームレンズから前記撮像面までの距離を変更する第１変更ステップ、
トラッキングカーブを参照して前記フォーカスレンズから前記撮像面までの距離を変更する処理を前記第１変更ステップの変更処理と並列して実行する第２変更ステップ、および
前記第１変更ステップによる変更態様が既定条件を満足するとき前記第２変更ステップの変更処理を制限する制限ステップを実行させるための、合焦制御プログラム。
【請求項８】
ズームレンズおよびフォーカスレンズを通して被写界像を捉える撮像面を有する撮像手段を備える電子カメラによって実行される合焦制御方法であって、
ズーム指示を受け付けたとき前記ズームレンズから前記撮像面までの距離を変更する第１変更ステップ、
トラッキングカーブを参照して前記フォーカスレンズから前記撮像面までの距離を変更する処理を前記第１変更ステップの変更処理と並列して実行する第２変更ステップ、および
前記第１変更ステップによる変更態様が既定条件を満足するとき前記第２変更ステップの変更処理を制限する制限ステップを備える、合焦制御方法。
【発明の詳細な説明】
【技術分野】
【０００１】
この発明は、電子カメラに関し、特にフォーカスレンズから撮像面までの距離を調整する処理をズーム調整処理と並列して実行する、電子カメラに関する。
【背景技術】
【０００２】
この種のカメラの一例が、特許文献１に開示されている。この背景技術によれば、ズーム移動範囲が４分割され、分割された各移動範囲に１つのパンフォーカス位置が割り当てられる。ズームレンズが駆動されると、ズームレンズが属する移動範囲が繰り返し検出される。フォーカスレンズは、検出された移動範囲に対応するパンフォーカス位置に配置される。これによって、動画撮影の途中でズーム操作が行われた場合に、フォーカスを良好に調整することができる。
【先行技術文献】
【特許文献】
【０００３】
【特許文献１】特開２００１−２０８９５４号公報
【発明の概要】
【発明が解決しようとする課題】
【０００４】
しかし、ズームレンズが駆動されたとき、フォーカスレンズはパンフォーカス位置に配置されるに留まる。このため、背景技術では、ズーム調整処理と並列したフォーカス調整処理の性能に限界がある。
【０００５】
それゆえに、この発明の主たる目的は、ズーム調整処理と並列したフォーカス調整処理の性能を向上させることができる、電子カメラを提供することである。
【課題を解決するための手段】
【０００６】
この発明に従う電子カメラ(10：実施例で相当する参照符号。以下同じ)は、ズームレンズ(12)およびフォーカスレンズ(14)を通して被写界像を捉える撮像面を有する撮像手段(16)、ズーム指示を受け付けたときズームレンズから撮像面までの距離を変更する第１変更手段(S9, S17)、トラッキングカーブを参照してフォーカスレンズから撮像面までの距離を変更する処理を第１変更手段の変更処理と並列して実行する第２変更手段(S37, S47)、および第１変更手段による変更態様が既定条件を満足するとき第２変更手段の変更処理を制限する制限手段(S43, S45)を備える。
【０００７】
好ましくは、制限手段は第２変更手段によって参照されるトラッキングカーブを既定トラッキングカーブに変更するトラッキングカーブ変更手段(S45)を含む。
【０００８】
好ましくは、フォーカスレンズから撮像面までの距離を既定距離に設定する処理を制限手段の制限処理に関連して実行する設定手段(S53)がさらに備えられる。
【０００９】
好ましくは、既定条件は変更方向がテレ側に対応する方向であるという方向条件と変更量が閾値を上回るという量条件との論理積を含む。
【００１０】
好ましくは、第１変更手段の変更処理が完了した後に撮像手段から出力された被写界像に基づいてフォーカスレンズから撮像面までの距離を調整する調整手段(S29, S31)がさらに備えられる。
【００１１】
さらに好ましくは、第２変更手段によって参照されるトラッキングカーブを調整手段の調整処理に関連して決定する決定手段(S33)がさらに備えられる。
【００１２】
この発明に従う合焦制御プログラムは、ズームレンズ(12)およびフォーカスレンズ(14)を通して被写界像を捉える撮像面を有する撮像手段(16)を備える電子カメラ(10)のプロセッサ(26)に、ズーム指示を受け付けたときズームレンズから撮像面までの距離を変更する第１変更ステップ(S9, S17)、トラッキングカーブを参照してフォーカスレンズから撮像面までの距離を変更する処理を第１変更ステップの変更処理と並列して実行する第２変更ステップ(S37, S47)、および第１変更ステップによる変更態様が既定条件を満足するとき第２変更ステップの変更処理を制限する制限ステップ(S43, S45)を実行させるための、合焦制御プログラムである。
【００１３】
この発明に従う合焦制御方法は、ズームレンズ(12)およびフォーカスレンズ(14)を通して被写界像を捉える撮像面を有する撮像手段(16)を備える電子カメラ(10)によって実行される合焦制御方法であって、ズーム指示を受け付けたときズームレンズから撮像面までの距離を変更する第１変更ステップ(S9, S17)、トラッキングカーブを参照してフォーカスレンズから撮像面までの距離を変更する処理を第１変更ステップの変更処理と並列して実行する第２変更ステップ(S37, S47)、および第１変更ステップによる変更態様が既定条件を満足するとき第２変更ステップの変更処理を制限する制限ステップ(S43, S45)を備える。
【発明の効果】
【００１４】
この発明によれば、トラッキングカーブを参照してフォーカスを調整することで、フォーカス精度が確保される。また、既定条件が満足されるときにトラッキングカーブを参照したフォーカス調整処理を制限することで、トラッキングカーブの誤選択に起因するデフォーカスが回避される。こうして、ズーム調整処理と並列したフォーカス調整処理の性能が向上する。
【００１５】
この発明の上述の目的，その他の目的，特徴および利点は、図面を参照して行う以下の実施例の詳細な説明から一層明らかとなろう。
【図面の簡単な説明】
【００１６】
【図１】この発明の基本的構成を示すブロック図である。
【図２】この発明の一実施例の構成を示すブロック図である。
【図３】異なる複数の被写界深度にそれぞれ対応する複数のトラッキングカーブの一例を示すグラフである。
【図４】フォーカストラッキング動作の一例を示すグラフである。
【図５】図２実施例に適用されるＣＰＵの動作の一部を示すフロー図である。
【図６】図２実施例に適用されるＣＰＵの動作の他の一部を示すフロー図である。
【図７】図２実施例に適用されるＣＰＵの動作のその他の一部を示すフロー図である。
【図８】他の実施例に適用されるＣＰＵの動作の一部を示すフロー図である。
【図９】フォーカストラッキング動作の他の一例を示すグラフである。
【図１０】その他の実施例に適用されるＣＰＵの動作の一部を示すフロー図である。
【図１１】フォーカストラッキング動作のその他の一例を示すグラフである。
【発明を実施するための形態】
【００１７】
以下、この発明の実施の形態を図面を参照しながら説明する。
［基本的構成］
【００１８】
図１を参照して、この発明の電子カメラは、基本的に次のように構成される。撮像手段３は、ズームレンズ１およびフォーカスレンズ２を通して被写界像を捉える撮像面を有する。第１変更手段４は、ズーム指示を受け付けたときズームレンズ１から撮像面までの距離を変更する。第２変更手段５は、トラッキングカーブを参照してフォーカスレンズ２から撮像面までの距離を変更する処理を、第１変更手段４の変更処理と並列して実行する。制限手段６は、第１変更手段４による変更態様が既定条件を満足するとき、第２変更手段５の変更処理を制限する。
【００１９】
したがって、ズームレンズ１から撮像面までの距離の変更態様が既定条件を満足しなければ、フォーカスレンズ２から撮像面までの距離はトラッキングカーブを参照して調整される。一方、ズームレンズ１から撮像面までの距離の変更態様が既定条件を満足すれば、このような距離調整処理が制限される。
【００２０】
トラッキングカーブを参照してフォーカスを調整することで、フォーカス精度が確保される。また、既定条件が満足されるときにトラッキングカーブを参照したフォーカス調整処理を制限することで、トラッキングカーブの誤選択に起因するデフォーカスが回避される。こうして、ズーム調整処理と並列したフォーカス調整処理の性能が向上する。
［実施例］
【００２１】
図２を参照して、この実施例のディジタルビデオカメラ１０は、ドライバ１８ａおよび１８ｂによってそれぞれ駆動されるズームレンズ１２およびフォーカスレンズ１４を含む。被写界の光学像は、ズームレンズ１２およびフォーカスレンズ１４を経てイメージセンサ１６の撮像面に照射され、光電変換を施される。これによって、被写界像を表す電荷が撮像面で生成される。
【００２２】
電源が投入されると、ＣＰＵ２６は、撮像タスクの下で、ズームレンズ１２をワイド端に配置し、動画取り込み処理のためにドライバ１８ｃを起動する。ドライバ１８ｃは、１／６０秒毎に発生する垂直同期信号Ｖｓｙｎｃに応答して、撮像面を露光し、撮像面で生成された電荷をラスタ走査態様で読み出す。イメージセンサ１６からは、被写界を表す生画像データが６０ｆｐｓのフレームレートで出力される。
【００２３】
信号処理回路２０は、イメージセンサ１６から出力された生画像データに白バランス調整，色分離，ＹＵＶ変換などの処理を施し、これによって作成されたＹＵＶ形式の画像データをメモリ制御回路３０を通してＳＤＲＡＭ３２に書き込む。ＬＣＤドライバ３４は、ＳＤＲＡＭ３２に格納された画像データをメモリ制御回路３０を通して読み出し、読み出された画像データに基づいてＬＣＤモニタ３６を駆動する。この結果、被写界のリアルタイム動画像（スルー画像）がモニタ画面に表示される。
【００２４】
キー入力装置２８によって記録開始操作が行われると、ＣＰＵ２６は、Ｉ／Ｆ３８に記録処理の開始を命令する。Ｉ／Ｆ３８は、ＳＤＲＡＭ３２に格納された画像データをメモリ制御回路３０を通してＳＤＲＡＭ３２から読み出し、読み出された画像データを含む動画ファイルを記録媒体４０に作成する。キー入力装置２８によって記録終了操作が行われると、ＣＰＵ２６は、Ｉ／Ｆ３８に記録処理の終了を命令する。Ｉ／Ｆ３８は、ＳＤＲＡＭ３２からの画像データの読み出しを終了し、記録先の動画ファイルをクローズする。
【００２５】
ＡＥ評価回路２２は、撮像面に割り当てられた評価エリア（図示せず）の全体をＡＥエリアとして定義し、信号処理回路２０から出力されたＹデータのうちＡＥエリアに属するＹデータを垂直同期信号Ｖｓｙｎｃに応答して積分する。積分値は、垂直同期信号Ｖｓｙｎｃが発生する毎に、ＡＥ評価値としてＡＥ評価回路２２から出力される。ＣＰＵ２６は、ＡＥ評価回路２４から出力されたＡＥ評価値に基づいて、イメージセンサ１６の露光量を調整する。この結果、ＬＣＤモニタ３６に表示されるスルー画像の明るさが適度に調整される。
【００２６】
キー入力装置２８によってズーム操作が実行されると、ＣＰＵ２６は、ズームレンズ１２を指定方向に移動させる。この結果、ＬＣＤモニタ３６に表示されるスルー画像の倍率が変化する。
【００２７】
フラッシュメモリ４２には、図３に示すトラッキングカーブＣ０〜Ｃ１３に相当するグラフデータが記憶される。図３を参照して、被写界深度が“無限”である場合、合焦位置はズームレンズ１２の位置に対してトラッキングカーブＣ０に沿うように変化する。また、被写界深度が“２０ｍ”である場合、合焦位置はズームレンズ１２の位置に対してトラッキングカーブＣ１に沿うように変化する。さらに、被写界深度が“１０ｍ”である場合、合焦位置はズームレンズ１２の位置に対してトラッキングカーブＣ２に沿うように変化する。
【００２８】
同様に、被写界深度が“５ｍ”，“３ｍ”，“１ｍ”，“０．９ｍ”，“０．８ｍ”，“０．７ｍ”，“０．６ｍ”，“０．５ｍ”，“０．４ｍ”，“０．３ｍ”，“至近”である場合、合焦位置はズームレンズ１２の位置に対してトラッキングカーブＣ３，Ｃ４，Ｃ５，Ｃ６，Ｃ７，Ｃ８，Ｃ９，Ｃ１０，Ｃ１１，Ｃ１２，Ｃ１３に沿うように変化する。
【００２９】
ＣＰＵ２６は、フォーカス制御タスクの下で、まず参照トラッキングカーブを“Ｃ０”に設定し、トラッキングカーブＣ０を参照してフォーカスレンズ１４の位置を調整する。ズームレンズ１２は当初ワイド端に配置されるため、フォーカスレンズ１４はトラッキングカーブＣ０上のワイド端に対応する位置に配置される。
【００３０】
ズーム操作が行われない間は、ＡＦ起動条件（ＡＦ評価値が基準を下回るという条件）が満足されるか否かが繰り返し判別される。ＡＦ起動条件が満足されると、山登りＡＦ処理が実行される。
【００３１】
山登りＡＦ処理に関連して、ＡＦ評価回路２４は、評価エリアの全体または一部をＡＦエリアとして定義し、信号処理回路２０から出力されたＹデータのうちＡＦエリアに属するＹデータの高周波成分を垂直同期信号Ｖｓｙｎｃに応答して積分する。積分値は、垂直同期信号Ｖｓｙｎｃが発生する毎に、ＡＦ評価値としてＡＦ評価回路２４から出力される。
【００３２】
ＣＰＵ２６は、フォーカスレンズ１４を光軸方向に段階的に移動させて、ＡＦ評価値が最大となる位置を探索する。最大ＡＦ評価値に対応する位置が検出されると、ＣＰＵ２６は、検出された位置を合焦位置とみなし、フォーカスレンズ１４を検出された合焦位置に配置する。
【００３３】
このような山登りＡＦ処理が完了すると、ＣＰＵ２６は、ズームレンズ１２およびフォーカスレンズ１４の現在位置に相当する座標を図３に示すグラフから検出し、検出された座標上を通過する１つのトラッキングカーブ或いは検出された座標を挟む２つのトラッキングカーブをトラッキングカーブＣ０〜Ｃ１３の中から特定し、そして参照トラッキングカーブを特定されたトラッキングカーブに更新する。したがって、検出された座標が図４に示す（Ｚｓ，Ｆｓ）であれば、トラッキングカーブＣ３およびＣ４が参照トラッキングカーブとして選択される。
【００３４】
ズーム操作が行われると、フォーカストラッキング処理が実行される。フォーカスレンズ１４は、参照トラッキングカーブに沿うように光軸方向に移動する。ズームレンズ１２の移動方向がテレ側であれば、ズームレンズ１２の移動量を積算する処理がフォーカストラッキング処理と並列して実行される。ズームレンズ１２の移動量の積算値を示す変数ΣＺＭは、ズームレンズ１２の１回の移動量に相当する“ΔＺＭ”ずつ増大する。
【００３５】
変数ΣＺＭが閾値ＴＨを上回ると、ＣＰＵ２６は、参照トラッキングカーブを“Ｃ１”に変更する。変更後に実行されるフォーカストラッキング処理において、フォーカスレンズ１４は、トラッキングカーブＣ１に沿うように光軸方向に移動する。
【００３６】
したがって、ズームレンズ１２を図４に示す“Ｚｓ”から“Ｚｔ”に移動させたとき、フォーカスレンズ１４は、変数ΣＺＭが閾値ＴＨを下回る期間においてトラッキングカーブＣ３およびＣ４に沿うように移動する一方、変数ΣＺＭが閾値ＴＨ以上の期間においてトラッキングカーブＣ１に沿うように移動する。ズームレンズ１２が“Ｚｔ”に達したとき、フォーカスレンズ１４は“Ｆｔ”に配置される。
【００３７】
このように、ズームレンズ１２の移動態様が既定条件（移動方向がテレ方向でかつ移動量が閾値ＴＨを上回るという条件）を満足しなければ、フォーカスレンズ１４の位置はトラッキングカーブを参照して調整される。これによって、高いフォーカス精度が維持される。一方、ズームレンズ１２の移動態様が既定条件を満足すれば、従前のトラッキングカーブを参照したフォーカストラッキング処理が制限される。これによって、トラッキングカーブの誤選択に起因するデフォーカスが回避される。
【００３８】
このようなフォーカス調整は、ズーム操作後のフレーミングを容易にする。また、ズーム操作の後に山登りＡＦ処理が起動される頻度が抑制され、消費電力の低減が図られる。
【００３９】
ＣＰＵ２６は、図５に示す撮像タスクおよび図６〜図７に示すフォーカス制御タスクを含む複数のタスクを並列的に実行する。なお、これらのタスクに対応する制御プログラムは、フラッシュメモリ４６に記憶される。
【００４０】
図５を参照して、ステップＳ１ではズームレンズ１２をワイド端に配置し、ステップＳ３では動画取り込み処理を実行する。この結果、ズーム倍率が１．０倍のスルー画像がＬＣＤモニタ３６に表示される。ステップＳ５では記録開始操作が行われたか否かを判別し、ステップＳ７では記録終了操作が行われたか否かを判別する。さらに、ステップＳ９ではズーム操作が行われたか否かを判別し、ステップＳ１１では垂直同期信号Ｖｓｙｎｃが発生したか否かを判別する。
【００４１】
ステップＳ５でＹＥＳであればステップＳ１３に進み、記録処理の開始をＩ／Ｆ３８に命令する。ステップＳ７でＹＥＳであればステップＳ１５に進み、記録処理の終了をＩ／Ｆ３８に命令する。ステップＳ９でＹＥＳであればステップＳ１７に進み、ズームレンズ１２を指定方向に移動させる。ステップＳ１１でＹＥＳであればステップＳ１９に進み、ＡＥ評価回路２４から出力されたＡＥ評価値に基づいてイメージセンサ１６の露光量を調整する。
【００４２】
図６を参照して、ステップＳ２１では参照トラッキングカーブを“Ｃ０”に設定し、ステップＳ２３ではフォーカスレンズ１４をトラッキングカーブＣ０上のワイド端に対応する位置に配置する。ステップＳ２３の処理が完了するとステップＳ２５に進み、変数ΣＺＭを“０”に設定する。
【００４３】
ステップＳ２７ではズーム操作が行われたか否かを判別し、ＮＯであればＡＦ起動条件（ＡＦ評価値が基準を下回るという条件）が満足されるか否かをステップＳ２９で判別する。ＡＦ起動条件が満足されないときはステップＳ２７に戻り、ＡＦ起動条件が満足されるときはステップＳ３１で山登りＡＦ処理を実行する。フォーカスレンズ１４は、山登りＡＦ処理によって合焦位置に配置される。
【００４４】
ステップＳ３３では、ズームレンズ１２およびフォーカスレンズ１４の現在位置に相当する座標を図３に示すグラフから検出し、検出された座標を通過する１つのトラッキングカーブ或いは検出された座標を挟む２つのトラッキングカーブをトラッキングカーブＣ０〜Ｃ１３の中から特定し、そして参照トラッキングカーブを特定されたトラッキングカーブに更新する。更新処理が完了すると、ステップＳ２７に戻る。
【００４５】
ステップＳ２７でＹＥＳであれば、ズームレンズ１２の移動方向がテレ側およびワイド側のいずれであるかをステップＳ３５で判別する。ズームレンズ１２の移動方向がワイド側であれば、ステップＳ３７でフォーカストラッキング処理を実行する。フォーカスレンズ１４は、参照トラッキングカーブに沿うように光軸方向に移動する。ステップＳ３９ではズーム操作が解除されたか否かを判別し、判別結果がＮＯからＹＥＳに更新されたときにステップＳ２７に戻る。
【００４６】
ズームレンズ１２の移動方向がテレ側であれば、ステップＳ３５からステップＳ４１に進み、変数ΣＺＭに“ΔＺＭ”を加算する。ステップＳ４３では、変数ΣＺＭが閾値ＴＨを上回るか否かを判別する。判別結果がＹＥＳであればステップＳ４５で参照トラッキングカーブを“Ｃ１”に変更してからステップＳ４７に進み、判別結果がＮＯであればそのままステップＳ４７に進む。ステップＳ４７ではステップＳ３７と同様のフォーカストラッキング処理を実行し、ステップＳ４９ではズーム操作が解除されたか否かを判別する。判別結果がＮＯであればステップＳ４１に戻り、判別結果がＹＥＳであればステップＳ５１で積算移動量ΣＺＭを“０”に設定してからステップＳ２７に戻る。
【００４７】
以上の説明から分かるように、イメージセンサ１６は、ズームレンズ１２およびフォーカスレンズ１４を通して被写界像を捉える撮像面を有する。ＣＰＵ２６は、ズーム指示を受け付けたとき、ズームレンズ１２を指定方向に移動させ(S9, S17)、これと並列してフォーカスレンズ１４を合焦方向に移動させる(S37, S47)。フォーカスレンズ１４の移動処理は、トラッキングカーブを参照して実行される。ただし、ズームレンズ１２の移動態様が既定条件（移動方向がテレ方向でかつ移動量が閾値ＴＨを上回るという条件）を満足すれば、ＣＰＵ２６は、従前のフォーカスレンズ１４の移動処理を制限する(S43, S45)。
【００４８】
したがって、ズームレンズ１２の移動態様が既定条件を満足しなければ、フォーカスレンズ１４の位置はトラッキングカーブを参照して調整される。一方、ズームレンズ１２の移動態様が既定条件を満足すれば、このようなフォーカス調整処理が制限される。
【００４９】
トラッキングカーブを参照してフォーカスを調整することで、フォーカス精度が確保される。また、既定条件が満足されるときにトラッキングカーブを参照したフォーカス調整処理を制限することで、トラッキングカーブの誤選択に起因するデフォーカスが回避される。こうして、ズーム調整処理と並列したフォーカス調整処理の性能が向上する。
【００５０】
なお、この実施例では、変数ΣＺＭが閾値ＴＨを上回った時点で参照トラッキングカーブを“Ｃ１”に変更するようにしている。しかし、これに代えて、変数ΣＺＭが閾値ＴＨを上回った時点でフォーカスレンズ１４を既定位置（パンフォーカス位置）に移動させるようにしたり、変数ΣＺＭが閾値ＴＨを上回った時点でフォーカスレンズ１４の移動を禁止したりするようにしてもよい。前者の場合、好ましくは図８に示す処理が代替的に実行される。後者の場合、好ましくは図１０に示す処理が代替的に実行される。
【００５１】
図８によれば、ステップＳ４５の処理が省略される。また、ステップＳ４３でＹＥＳであればステップＳ５３に進み、フォーカスレンズ１４を既定位置に配置する。ステップＳ５３の処理が完了すると、ステップＳ４９に進む。したがって、既定位置が“Ｆｔ”である場合において、ズームレンズ１２を“Ｚｓ”から“Ｚｔ”に移動させたとき、フォーカスレンズ１４は図９に示す太線に沿うように変位する。
【００５２】
また、図１０によれば、ステップＳ４３でＹＥＳであればステップＳ４７の処理を経ることなくステップＳ４９に進む。したがって、ズームレンズ１２を“Ｚｓ”から“Ｚｔ”に移動させたとき、フォーカスレンズ１４は図１１に示す太線に沿うように変位する。つまり、フォーカスレンズ１４は、変数ΣＺＭが閾値ＴＨを上回った時点で“Ｆｔ’”に停止し続ける。
【００５３】
なお、この実施例では、フォーカスを調整するにあたってフォーカスレンズ１４を光軸方向に移動させるようにしているが、フォーカスレンズ１４とともに或いはフォーカスレンズ１４に代えて、撮像面を光軸方向に移動させるようにしてもよい。
【００５４】
また、この実施例では、動画像を記録媒体に記録するようにしているが、動画像に代えて或いは動画像に加えて静止画像を記録媒体に記録するようにしてもよい。
【符号の説明】
【００５５】
１０  …ディジタルビデオカメラ
１２  …ズームレンズ
１４  …フォーカスレンズ
１６  …イメージセンサ
２２  …ＡＥ評価回路
２４  …ＡＦ評価回路
２６  …ＣＰＵ
４２  …フラッシュメモリ
【図１】
2010266701.tif 000003
【図２】
2010266701.tif 000004
【図３】
2010266701.tif 000005
【図４】
2010266701.tif 000006
【図５】
2010266701.tif 000007
【図６】
2010266701.tif 000008
【図７】
2010266701.tif 000009
【図８】
2010266701.tif 000010
【図９】
2010266701.tif 000011
【図１０】
2010266701.tif 000012
【図１１】
2010266701.tif 000013